(57)【要約】【課題】  外部クロック基板を独立に設けた場合でもクロック信号に乗るノイズを低減して、ポリゴンミラーを安定に回転制御できる様にする。【解決手段】  モータで回転するポリゴンミラー３を搭載したポリゴン基板２と外部クロック基板７とを独立に設けた光走査装置において、外部クロック基板７からポリゴン基板２にクロック信号を供給するクロック供給用配線１１を他配線１２から独立に設けクロック供給用配線１１によりポリゴン基板２と外部クロック基板７とを直接接続する。これにより、配線１１のクロック信号にノイズが乗る確率が低減する。【選択図】  図２
2005257736.tif 000002
【特許請求の範囲】
【請求項１】
モータで回転するポリゴンミラーを搭載したポリゴン基板と外部クロック基板とを独立に設けた光走査装置において、前記外部クロック基板から前記ポリゴン基板にクロック信号を供給するクロック供給用配線を他配線から独立に設け該クロック供給用配線により前記ポリゴン基板と前記外部クロック基板とを直接接続したことを特徴とする光走査装置。
【請求項２】
前記クロック供給用配線は前記他配線と併走せずに取り付けられていることを特徴とする請求項１に記載の光走査装置。
【請求項３】
前記クロック供給用配線は前記ポリゴン基板と前記外部クロック基板とを直接物理的に連結するコネクタ内に設けられていることを特徴とする請求項１または請求項２に記載の光走査装置。
【請求項４】
前記ポリゴン基板と前記外部クロック基板とは共通の導体板上に取り付けられることを特徴とする請求項１乃至請求項３のいずれかに記載の光走査装置。
【請求項５】
前記導体板には、前記外部クロック基板に接続される前記他配線を抑える凸部が形成されていることを特徴とする請求項４に記載の光走査装置。
【発明の詳細な説明】
【技術分野】
【０００１】
本発明はレーザプリンタや画像形成装置等の光走査装置に係り、特に、ポリゴンミラーの回転を高精度に制御できる光走査装置に関する。
【背景技術】
【０００２】
光走査装置では、ポリゴンミラーをモータで回転させてレーザビームを反射させるが、モータの回転を高精度に制御できないと、光走査を精度良く行うことができない。このため、下記特許文献１に記載されている様に、ポリゴンミラー及びモータを搭載したポリゴン搭載基板と、制御回路を搭載した制御基板とを別基板とし、また、回転速度検出用のＦＧ（周波数発電機）信号のＳ／Ｎを大きくする処理を行うなど、ノイズに強くしている。
【０００３】
これとは別に、コストダウンの要求から、モータの回転速度を制御するクロック信号を外部から与える外部クロックタイプが主流になりつつあり、外部クロックを発生するクロック発信器を搭載した外部クロック基板もポリゴン搭載基板や制御基板から独立して設ける様になってきている。
【０００４】
【特許文献１】特開２００４―６２０８３号公報
【発明の開示】
【発明が解決しようとする課題】
【０００５】
しかしながら、外部クロック基板を独立に設けた場合、外部クロック基板からポリゴン搭載基板に伝送するクロック信号にノイズが乗ると、モータの回転が不安定になるという懸念がある。このため、外部クロック基板を独立に設けた場合に、ポリゴン搭載基板に伝送するクロック信号にノイズが乗らないように工夫する必要が生じる。
【０００６】
本発明の目的は、外部クロック基板を独立に設けた場合でもクロック信号に乗るノイズを低減することができる光走査装置を提供することにある。
【課題を解決するための手段】
【０００７】
本発明の光走査装置は、モータで回転するポリゴンミラーを搭載したポリゴン基板と外部クロック基板とを独立に設けた光走査装置において、前記外部クロック基板から前記ポリゴン基板にクロック信号を供給するクロック供給用配線を他配線から独立に設け該クロック供給用配線により前記ポリゴン基板と前記外部クロック基板とを直接接続したことを特徴とする。
【０００８】
この構成により、クロック供給用配線のクロック信号にノイズが乗る確率が低くなる。また、中継端子を使用せずに直接接続したことにより、中継端子で発生するノイズも回避可能となる。
【０００９】
本発明の光走査装置は、前記クロック供給用配線は前記他配線と併走せずに取り付けられていることを特徴とする。
【００１０】
配線同士が併走すると、他配線に流れる信号のノイズがクロックに乗る可能性が高くなるが、配線同士が併走しない構成にしたため、クロック信号にノイズが乗る危険が更に低減する。
【００１１】
本発明の光走査装置は、前記クロック供給用配線は前記ポリゴン基板と前記外部クロック基板とを直接物理的に連結するコネクタ内に設けられていることを特徴とする。
【００１２】
配線の代わりにコネクタで直接接続する構成でも、同様の効果が得られる。
【００１３】
本発明の光走査装置は、前記ポリゴン基板と前記外部クロック基板とは共通の導体板上に取り付けられることを特徴とする。
【００１４】
共通の導体板に前記ポリゴン基板と前記外部クロック基板とが搭載されることで、耐ノイズ性が更に高まる。
【００１５】
本発明の光走査装置では、前記導体板には、前記外部クロック基板に接続される前記他配線を抑える凸部が形成されていることを特徴とする。
【００１６】
この構成により、他配線がポリゴンミラーに接触する危険がなくなり、また、他配線が狭い光走査装置内の組付時に暴れることがなくなる。
【発明の効果】
【００１７】
本発明によれば、外部クロック基板を独立に設けた場合でもクロック信号に乗るノイズを低減することができる光走査装置を提供することができる。
【発明を実施するための最良の形態】
【００１８】
以下、本発明の一実施形態について、図面を参照して説明する。
【００１９】
図１は、本発明の一実施形態に係る光走査装置の要部斜視図である。この光走査装置の光学定盤１上の奥には、ポリゴン基板２が載置されている。このポリゴン基板２には、図示しないモータとこのモータの回転軸に取り付けられたポリゴンミラー３とが搭載されており、レーザ光源４から出射されたレーザビーム５は、回転するポリゴンミラー３に当たることで、反射されたレーザビーム５ａが矢印Ａ方向に主走査される様になっている。
【００２０】
本実施形態の光走査装置では、このポリゴン基板２に並置される様に、外部クロック基板７が設けられ、外部クロック基板７に搭載されている図示しないクロック発振器から出力されたクロック信号がポリゴン基板２側に供給され、このクロック信号に同期してモータの回転速度制御が行われる。
【００２１】
図２は、ポリゴン基板２と外部クロック基板７の拡大斜視図である。銅等の導体板でなるアダプタ基板８上に、ポリゴン基板２が電気絶縁されて固定されると共に、外部クロック基板７も同一のアダプタ基板８上に電気絶縁されて固定される。
【００２２】
ポリゴン基板２と外部クロック基板７とは近接配置される。外部クロック基板７から出力されるクロック信号は、ポリゴン基板２の他に、図示しない制御回路等にも供給されるが、本実施形態では、クロック信号をポリゴン基板２に供給する配線１１だけは独立にし、他の制御回路等に供給する配線１２と区別している。尚、図示する配線１２は、クロック発振器への電源線を含む。
【００２３】
配線１１は、両端にソケット１１ａ，１１ｂが接続され、各ソケット１１ａ，１１ｂが、夫々、ポリゴン基板２と外部クロック基板７に接続される。配線１１は、最短距離で、且つ中継無しで、ポリゴン基板２と外部クロック基板７とを接続し、他の配線と併走しないようにされている。これにより、配線１１のクロック信号にノイズが乗る確率は小さくなり、モータの回転速度制御の高精度化を図ることができる。
【００２４】
また、配線１２と外部クロック基板７との接続口であるソケット１２ａの位置は、配線１１のクロック取り出し口であるソケット１１ｂ位置とは離間した位置に設けられており、配線１１と配線１２とが併走しないようにされている。配線同士が近距離で併走すると、例えば一緒に束ねられると、他配線に流れる信号等に起因するノイズがクロックに乗る可能性が高くなるが、配線同士が併走しない構成にすることで、ノイズが乗る危険が回避される。
【００２５】
配線１２は、図示しない他所の制御回路等に引き回すため、光学定盤１の端に取り付けられた図１の中継基板９に接続されるが、外部クロック基板７と中継基板９との間の距離は長いため、光走査装置の組立時に配線１２が光走査装置内で暴れ、回転するポリゴンミラー３と接触する可能性がある。また、配線１２が配線１１に交差したり併走したりする虞がある。
【００２６】
そこで、本実施形態では、アダプタ基板８に凸部８ａを設け、この凸部８ａによって配線１２を凸部８ａの下に抑え込むようにしている。これにより、配線１２がポリゴンミラー３に接触する虞はなくなり、また、配線１２を通して配線１１にノイズが乗る確率も無くなる。
【００２７】
図３は、本発明の別実施形態に係るポリゴン基板２と外部クロック基板７との接続構成を示す図である。図２に示す実施形態では、配線１１すなわちケーブルを用いて両者を中継無しに直接接続したが、この実施形態では、ケーブルではなく、コネクタ１３を用い、ポリゴン基板２と外部クロック基板７とを中継無しに直接接続している。
【００２８】
即ち、コネクタ１３の一側のソケット１３ａをポリゴン基板２のソケット２ａに接続し、他側のソケット１３ｂを外部クロック基板７のソケット７ａに接続している。この様に、中継無しに直接接続することで、中継時に発生する虞のあるノイズを受けることが無いため、モータを安定して回転させることが可能となる。
【００２９】
尚、上述した配線１１，１２等をシールドすることでより耐ノイズ性を高めることができるのはいうまでもない。
【産業上の利用可能性】
【００３０】
本発明に係る光走査装置は、外部クロックにノイズが乗らない工夫をしているため、ポリゴンミラーを安定して回転制御できるという効果を奏し、レーザプリンタや画像形成装置等で使用する光走査装置等に用いると有用である。
【図面の簡単な説明】
【００３１】
【図１】本発明の一実施形態に係る光走査装置の要部斜視図である。
【図２】図１に示すポリゴン基板及び外部クロック基板の拡大斜視図である。
【図３】本発明の別実施形態に係るポリゴン基板と外部クロック基板の接続構成図である。
【符号の説明】
【００３２】
１  光学定盤
２  ポリゴン基板
２ａ  ソケット
３  ポリゴンミラー
４  レーザ光源
５  レーザビーム
５ａ  反射レーザビーム
７  外部クロック基板
７ａ  ソケット
８  導体板のアダプタ基板
８ａ  凸部
９  中継端子
１１  ポリゴン基板―外部クロック基板間のクロック供給用の配線
１１ａ，１１ｂ  ソケット
１２  外部クロック基板―他回路間の配線
１２ａ  ソケット
１３  コネクタ
１３ａ，１３ｂ  ソケット
【図１】
2005257736.tif 000003
【図２】
2005257736.tif 000004
【図３】
2005257736.tif 000005